(57)【要約】【課題】磁気記録媒体及び磁気記憶装置において、高記録密度化及びサーボパターンの磁化方向の安定化を両立することを目的とする。【解決手段】ヘッドを位置決めするための情報を格納すると共に、磁性パターンと非磁性パターンの組み合わせで形成されたサーボ領域と、磁性パターンと非磁性パターンの組み合わせで形成され、該磁性パターンを媒体表面に対して垂直方向に磁化することでデータが記録されるデータ領域を備え、前記サーボ領域は、トラックと垂直な方向上所定幅の領域毎に分断され、隣り合う前記所定幅の領域間では前記垂直方向の磁化方向が互いに逆方向に着磁されているように構成する。【選択図】図４
2010097640.tif 000002
【特許請求の範囲】
【請求項１】
ヘッドを位置決めするための情報を格納すると共に、磁性パターンと非磁性パターンの組み合わせで形成されたサーボ領域と、
磁性パターンと非磁性パターンの組み合わせで形成され、該磁性パターンを媒体表面に対して垂直方向に磁化することでデータが記録されるデータ領域を備え、
前記サーボ領域は、トラックと垂直な方向上所定幅の領域毎に分断され、隣り合う前記所定幅の領域間では前記垂直方向の磁化方向が互いに逆方向に着磁されている、磁気記録媒体。
【請求項２】
前記磁気記録媒体はディスク形状を有する磁気ディスクであり、
前記トラックと垂直な方向は前記磁気ディスクの半径方向であり、
前記所定幅の領域は、前記半径方向上に配置された複数のリング状のゾーンである、請求項１記載の磁気記録媒体。
【請求項３】
各ゾーンの前記半径方向上の幅は、前記磁気ディスクの偏心量以上の値に設定されている、請求項２記載の磁気記録媒体。
【請求項４】
前記データ領域の磁性パターンは、複数の磁性ドットで形成された磁性ドット列が同心円状に予めパターンとして形成されており、
前記磁気ディスクは、単磁区からなるパターンが形成され、パターン１つに１ビットが書き込まれるビットパターンド媒体である、請求項２又は３記載の磁気記録媒体。
【請求項５】
隣接するゾーンの前記半径方向上の分割幅は、前記データ領域の磁性ドットの間隔と同じである、請求項４記載の磁気記録媒体。
【請求項６】
ヘッドと、
前記ヘッドを位置決めするための情報を格納すると共に磁性パターンと非磁性パターンの組み合わせで形成されたサーボ領域と、磁性パターンと非磁性パターンの組み合わせで形成され該磁性パターンを媒体表面に対して垂直方向に磁化することでデータが記録されるデータ領域を有し、前記サーボ領域はトラックと垂直な方向上所定幅の領域毎に分断され、隣り合う前記所定幅の領域間では前記垂直方向の磁化方向が互いに逆方向に着磁されている磁気記録媒体と、
前記ヘッドが前記磁気記録媒体から再生した再生信号波形の極性を反転してから出力する極性反転部と、
前記ヘッドが前記磁気記録媒体から再生した前記再生信号波形と、前記極性反転部が出力する再生信号波形の一方を極性選択信号に基づいて選択出力する切替部と、
前記切替部が出力する信号波形から前記サーボ領域内のアドレス部を復調する復調部と、
前記復調部が前記アドレス部を復調できないと前記極性選択信号を出力して前記切替部の出力を切り替えるコントローラを備えた、磁気記憶装置。
【発明の詳細な説明】
【技術分野】
【０００１】
本発明は、磁気記録媒体及び磁気記憶装置に係り、特に所謂パターンド媒体（Patterned Media）と呼ばれる磁気記録媒体及びそのような磁気記録媒体を用いる磁気記憶装置に関する。
【背景技術】
【０００２】
磁気ディスク装置に代表される磁気記憶装置では、更なる小型化及び大容量化が求められており、磁気ディスクに代表される磁気記録媒体の高記録密度化が要求されている。磁気記録媒体の記録密度を向上するために、例えばパターンド媒体が提案されている。
【０００３】
図１は、従来のパターンド媒体の一例を説明する図である。磁気ディスク１上のデータ領域１１には、磁性ドット列１２が同心円状に予めパターンとして形成されている。この磁性ドット列１２に記録再生ヘッド２を位置決めするためのサーボ領域１３が、磁気ディスク１の内周側から外周側に向かって、記録再生ヘッド２のシークの動きに応じた円弧状に形成されている。データは、記録再生ヘッド２によりデータ領域１１の磁性ドット列１２の各磁性ドットを磁気ディスク１の表面に対して垂直方向に磁化することで記録される。トラック方向とは、磁気ディスク１上のトラックが延在する方向である。記録再生ヘッド２は、アーム５の先端に設けられており、矢印ＰＤの方向に回動する。磁気ディスク１は矢印ＲＤの方向に回転する。トラック方向は、磁気ディスク１の半径方向に対して垂直方向である。
【０００４】
サーボ領域１３は、図１の下部に拡大して示すように、サーボ信号を読み取る際のクロックを同期させるプリアンブル部１３０と、トラック番号及びセクタ番号を示すアドレス部１３１、及び記録再生ヘッド２とトラックの位置ずれを検出する位相サーボ部１３２を有する。アドレス部１３１にはシンクマーク（Sync Mark）も含まれ、このシンクマークは、サーボ領域１３のサーボパターンが検出されてこのシンクマークにトラック番号及びセクタ番号が続くことを示す。サーボ領域１３は、データ領域１１の磁性ドットを形成するプロセスで同じように磁性パターンと非磁性パターンの組み合わせで形成され、磁気ディスク１の表面に対して垂直方向に磁化を初期化着磁された埋め込みサーボパターンとなっている。
【０００５】
図２は、従来のパターンド媒体の問題を説明する図であり、パターンド媒体の断面の一部を拡大して示す。サーボ領域１３には、プリアンブル信号のように、磁気ディスク１の半径方向に沿って長く面積が比較的大きいパターンが含まれている。磁性ドットと比べると、このような面積が比較的大きいパターンは、反磁界が大きく保磁力が小さくなるため磁化反転しやすいことになり、磁化の向きを安定に保てない。図２において、太い矢印は磁化パターンの磁化方向を示し、ＮはＮ極、ＳはＳ極を示す。又、破線の矢印は中央の磁化パターンに対する周囲の磁化パターンの影響を示し、一点鎖線の矢印５００は中央の磁化パターンが受ける反磁界を示す。
【０００６】
一方、サーボパターンでも充分な保磁力が得られるような磁性材料を用いると、面積の小さい磁性ドットは保磁力が大きくなりすぎて記録再生ヘッド２の記録磁界で記録ができなくなってしまう。この傾向は、パターンド媒体を高密度記録化する程顕著となり、サーボパターンの磁化方向の安定化が難しくなる。
【特許文献１】特開２００３−１２３２０１号公報
【発明の開示】
【発明が解決しようとする課題】
【０００７】
従来のパターンド媒体では、高記録密度化及びサーボパターンの磁化方向の安定化を両立することが難しいという問題があった。
【０００８】
そこで、本発明は、高記録密度化及びサーボパターンの磁化方向の安定化を両立することのできる磁気記録媒体及び磁気記憶装置を提供することを目的とする。
【課題を解決するための手段】
【０００９】
本発明の一観点によれば、ヘッドを位置決めするための情報を格納すると共に、磁性パターンと非磁性パターンの組み合わせで形成されたサーボ領域と、磁性パターンと非磁性パターンの組み合わせで形成され、該磁性パターンを媒体表面に対して垂直方向に磁化することでデータが記録されるデータ領域を備え、前記サーボ領域は、トラックと垂直な方向上所定幅の領域毎に分断され、隣り合う前記所定幅の領域間では前記垂直方向の磁化方向が互いに逆方向に着磁されている磁気記録媒体が提供される。
【００１０】
本発明の一観点によれば、ヘッドと、前記ヘッドを位置決めするための情報を格納すると共に磁性パターンと非磁性パターンの組み合わせで形成されたサーボ領域と、磁性パターンと非磁性パターンの組み合わせで形成され該磁性パターンを媒体表面に対して垂直方向に磁化することでデータが記録されるデータ領域を有し、前記サーボ領域はトラックと垂直な方向上所定幅の領域毎に分断され、隣り合う前記所定幅の領域間では前記垂直方向の磁化方向が互いに逆方向に着磁されている磁気記録媒体と、前記ヘッドが前記磁気記録媒体から再生した再生信号波形の極性を反転してから出力する極性反転部と、前記ヘッドが前記磁気記録媒体から再生した前記再生信号波形と、前記極性反転部が出力する再生信号波形の一方を極性選択信号に基づいて選択出力する切替部と、前記切替部が出力する信号波形から前記サーボ領域内のアドレス部を復調する復調部と、前記復調部が前記アドレス部を復調できないと前記極性選択信号を出力して前記切替部の出力を切り替えるコントローラを備えた磁気記憶装置が提供される。
【発明の効果】
【００１１】
開示の磁気記録媒体及び磁気記憶装置によれば、高記録密度化及びサーボパターンの磁化方向の安定化を両立することが可能となる。
【発明を実施するための最良の形態】
【００１２】
開示の磁気記録媒体及び磁気記憶装置では、磁気記録媒体上のサーボ領域をトラックと垂直な方向上所定幅の領域毎に分断し、隣り合う所定幅の領域間では磁化方向を互いに逆方向に初期化する。図３は、磁気記録媒体の断面の一部を拡大して示す図である。図３において、太い矢印は磁化パターンの磁化方向を示し、ＮはＮ極、ＳはＳ極を示す。図３に示すように、隣接する所定幅の領域間では反磁界が逆方向を向くので、破線の矢印で示すように、隣接する所定幅の領域間では互いに磁化方向を安定化させることができる。磁気記録媒体が磁気ディスクの場合、所定幅の領域は磁気ディスクの表面を半径方向上複数のリング状領域に分割するゾーンである。
【００１３】
これにより、磁気記録媒体の高記録密度化及びサーボパターンの磁化方向の安定化を両立することが可能となる。
【００１４】
以下に、本発明の磁気記録媒体及び磁気記憶装置の各実施例を、図３以降と共に説明する。
【実施例】
【００１５】
図４は、本発明の一実施例における磁気記録媒体を説明する図である。説明の便宜上、本実施例では本発明がディスク形状を有する磁気ディスクに適用されている。磁気ディスク２１の表面は、半径方向上複数のリング状（環状）領域、即ち、複数のゾーンに分割されている。磁気ディスク２１上のデータ領域３１には、複数の磁性ドット（又は、データドット）３２０で形成された磁性ドット列３２が同心円状に予めパターンとして形成されている。つまり、磁気ディスク２１は、単磁区からなるパターンが形成され、パターン１つに１ビットが書き込まれる所謂ビットパターンド媒体である。この磁性ドット列３２に記録再生ヘッド２を位置決めするためのサーボ領域３３が、磁気ディスク２１の内周側から外周側に向かって、記録再生ヘッド２のシークの動きに応じた円弧状に形成されている。データは、記録再生ヘッド２によりデータ領域３１の磁性ドット列３２の各磁性ドット３２０を磁気ディスク２１の表面に対して垂直方向に磁化することで記録される。トラック方向とは、磁気ディスク２１上のトラックが延在する方向である。記録再生ヘッド２は、アーム５の先端に設けられており、周知の手段により矢印ＰＤの方向に回動される。磁気ディスク１は、周知の手段により矢印ＲＤの方向に回転する。トラック方向は、磁気ディスク２１の半径方向に対して垂直方向である。
【００１６】
サーボ領域３３は、図４の下部に拡大して示すように、サーボ信号を読み取る際のクロックを同期させるプリアンブル部３３０と、トラック番号及びセクタ番号を示すアドレス部３３１、及び記録再生ヘッド２とトラックの位置ずれを検出する位相サーボ部３３２を有する。アドレス部３３１にはシンクマーク（Sync Mark）も含まれ、このシンクマークは、サーボ領域３３のサーボパターンが検出されてこのシンクマークにトラック番号及びセクタ番号が続くことを示す。サーボ領域３３は、データ領域３１の磁性ドット３２０を形成するプロセスで同じように磁性パターンと非磁性パターンの組み合わせで形成され、磁気ディスク２１の表面に対して垂直方向に磁化を初期化着磁された埋め込みサーボパターン（Embedded Servo Pattern）となっている。つまり、サーボ領域３３は、磁性パターンと非磁性パターンの組み合わせで形成されている。
【００１７】
磁気ディスク２１の最外周から数えてＮ（Ｎは１以上の自然数）番目のゾーンＮのサーボ領域３３では磁気ディスク２１の表面側がＳ極性となるように着磁され、隣接するＮ＋１番目のゾーンＮ＋１のサーボ領域３３では磁気ディスク２１の表面側がＮ極性になるように着磁されている。このように、磁気ディスク２１の表面側の極性は、複数のゾーン間では半径方向上交互にＮ極性とＳ極性を繰り返すようになっている。この結果、隣接するサーボ領域３３間では、図３からもわかるように互いに反磁界の方向が逆向きになり、各サーボ領域３３の磁化方向を安定に保つことができる。
【００１８】
本実施例では、隣接するゾーンの間（例えば、ゾーンＮ，Ｎ＋１間）の分割幅ＤＷは、小さい方が磁気ディスク２１の表面側で互いに隣接するＳ極性のパターンとＮ極性のパターンの反磁界が夫々強くなるので、サーボ領域３３の磁化方向を安定化する効果が向上する。磁性ドット３２０の間隔は、パターン形成の最小間隔であり、例えば５００Ｇｂｐｓｉの磁気ディスク２１の場合は半径方向についてもトラック方向についても１８ｎｍである。図５は、磁性ドット３２０の間隔を示す図である。このような場合、隣接するゾーンの分割幅ＤＷは、データ領域３１の磁性ドット３２０の間隔と同じに形成することが望ましいが、分割幅ＤＷと磁性ドット３２０の間隔は同じでなくても良い。
【００１９】
図６は、磁気ディスク２１の偏心とゾーン幅の関係を説明する図である。磁気ディスク２１上のパターンを形成する際、或いは、磁気ディスク２１を磁気ディスク装置（図示せず）の回転軸に装着する際には、磁気ディスク２１の中心のずれにより偏心が生じる。このような偏心が生じると、トラッキングサーボがオフとされてトラックを追従していない時の記録再生ヘッド２の走査軌跡ＨＬｅは、トラックの中心とは異なる中心を有する円形となる。そこで、トラッキングサーボをオンとして記録再生ヘッド２がトラックを追従するまでの間にサーボ領域３３の極性が変わらないようにするためには、各ゾーンの半径方向上の幅ＺＷを少なくとも偏心量と同程度の値に設定することが望ましい。例えば、偏心量が５０μｍ以下であれば、各ゾーンの半径方向上の幅ＺＷは５０μｍ以上に設定することが望ましく、例えば５００μｍに設定される。
【００２０】
本実施例によれば、ビットパターンド媒体の埋め込みサーボパターンで磁化方向の安定化を図ることができ、高記録密度化及びサーボパターンの磁化方向の安定化を両立することが可能となる。
【００２１】
磁気ディスク２１のサーボ領域３３の初期化着磁方法は、特に限定されないが、以下に初期化着磁方法の一例を図７と共に説明する。
【００２２】
図７は、サーボ領域３３の初期化着磁方法の一例を説明する図である。この例では、所謂磁気転写法を用いて２段階の着磁によりサーボ領域３３を初期化する。先ず、図７（ａ）に示すように、初期化されていない磁気ディスク２１０を磁石（或いは、電磁石）７１，７２により挟んで磁気ディスク２１０全体を第１の方向に着磁する。次に、図７（ｂ）に示すように、第１の方向に着磁された磁気ディスク２１０Ａを磁石７１，７２とは極性が逆にされた磁石（或いは、電磁石）７３，７４により挟むと共に、第１の方向とは逆向きの第２の方向に着磁するゾーン（例えば、ゾーンＮ，Ｎ＋２，Ｎ＋４，．．．）に対応した凸部を有する強磁性体の型７３Ａ，７４Ａにより選択的に１つおきのゾーンを第２の方向に着磁することで磁気ディスク２１を作成する。
【００２３】
ゾーンの極性に応じてサーボ領域３３から再生される波形の極性が変わることになるが、一方の極性に応じた信号処理でサーボ信号が読めない場合には逆極性に信号処理を施せば良いので、以下に説明するように、サーボ信号の読み取りに問題は生じない。
【００２４】
図８は、本発明の一実施例における磁気記憶装置の一部を示すブロック図である。磁気ディスク装置８０は、アーム５の先端に設けられた記録再生ヘッド２、アーム５を回動させる周知の手段（図示せず）、磁気ディスク２１及び磁気ディスク２１を回転させる周知の手段（図示せず）に加え、図８に示す如く接続された増幅器８１、切替部８２、極性反転部８３、同期クロック生成部８４、復調部８５及びコントローラ８６を有する。
【００２５】
記録再生ヘッド２により磁気ディスク２１から再生された信号（再生信号波形）は、増幅器８１を介して一方では直接切替部８２に供給され、他方では極性反転部８３を介して切替部８２に供給される。極性反転部８３は、増幅器８１からの再生信号波形の極性を反転してから出力する。切替部８２は、コントローラ８６からの極性選択信号に基づいて増幅器８１又は極性反転部８３の出力信号波形を選択出力する。切替部８２の出力信号波形は、同期クロック生成部８４及び復調部８５に供給される。同期クロック生成部８４は、切替部８２の出力信号波形のプリアンブル部３３０に対応する部分から同期クロックを生成し、復調部８５に供給する。復調部８５は、同期クロック生成部８４からの同期クロックに基づいて、切替部８２の出力信号波形のアドレス部３３１に対応する部分からシンクマークを検出し、シンクマークが検出されたか否かを示すシンクマーク検出信号を生成すると共に、シンクマークが検出されるとこのシンクマークに続くトラック番号及びセクタ番号を復調する。復調部８５は、シンクマーク検出信号、トラック番号及びセクタ番号をコントローラ８６に供給する。コントローラ８６は、例えばＣＰＵ（Central Processing Unit）等のプロセッサで構成されており、復調部８５からのシンクマーク検出信号がシンクマークを検出していない旨を示す場合には、極性選択信号を切替部８２に供給して切替部８２が出力する入力信号波形を切り替える。コントローラ８６は、トラック番号及びセクタ番号を用いてアーム５の位置制御等の他の処理を行う。
【００２６】
図９は、磁気記憶装置のサーボパターン再生動作を説明するフローチャートである。図９の処理は、記録再生ヘッド２が磁気ディスク２１から信号を再生すると開始される。
【００２７】
図９において、ステップＳ１では、増幅器８１を介してサーボ領域３３のサーボパターンの再生信号波形を出力する。ステップＳ２では、同期クロック生成部８４において切替部８２の出力信号波形のプリアンブル部３３０に対応する部分から同期クロックを生成し、復調部８５に供給することで同期クロック引き込み処理が行われる。ステップＳ３では、復調部８５において同期クロック生成部８４からの同期クロックに基づいて、切替部８２の出力信号波形のアドレス部３３１に対応する部分からシンクマークが検出されたか否かを判定する。ステップＳ３の判定結果がＮＯであると処理はステップＳ４へ進む。ステップＳ４では、コントローラ８６においてシンクマークが検出されなかった旨を示すシンクマーク検出信号に基づいて極性選択信号を切替部８２に供給して切替部８２が出力する入力信号波形を切り替え、処理はステップＳ１へ戻る。一方、ステップＳ３の判定結果がＹＥＳであると、処理はステップＳ５へ進む。ステップＳ５では、復調部８５においてシンクマークに続きトラック番号及びセクタ番号を復調してコントローラ８６に供給し、処理は終了する。
【００２８】
次に、本発明の他の実施例における磁気記憶装置を、図１０及び図１１と共に説明する。本実施例では、磁気記憶装置は複数の磁気記録媒体を備える。図１０は、磁気記憶装置の一部を示す断面図であり、図１１は、図１０の磁気記憶装置の一部を上部カバーを取り外して示す平面図である。
【００２９】
図１０及び図１１において、ベース１１３にはモータ１１４が取り付けられており、このモータ１１４は複数の磁気ディスク２１が固定されたハブ１１５を回転する。磁気ディスク２１は、上記実施例と同様の構造を有する。磁気ディスク２１からの情報の読み取り及び磁気ディスク２１への情報の書き込みは、スライダ１１７に固定された記録再生ヘッド２（図示せず）により行われる。
【００３０】
スライダ１１７はサスペンション１１８に接続されており、サスペンション１１８はスライダ１１７を磁気ディスク２１の記録面（表面）の方向に押し付ける。磁気ディスク２１の記録面には、潤滑剤で形成された潤滑層が設けられている。特定のディスク回転速度及びサスペンション硬度では、スライダ１１７が磁気ディスク２１の記録面より所定の浮上量だけ浮いた位置を走査するようになっている。サスペンション１１８は、アクチュエータ１２０に接続された強固なアーム５に固定されている。これにより、磁気ディスク２１の広範囲にわたって読み取り及び書き込みを行うことが可能となる。
【００３１】
勿論、磁気ディスク２１の数は図１０に示すように３つに限定されるものではなく、２つ、或いは、４つ以上の磁気ディスク２１を磁気記憶装置内に設けても良い。
【００３２】
更に、本実施例における磁気記録媒体は、磁気ディスクに限定されるものではなく、本発明は、磁気カードを含む各種磁気記録媒体に適用可能である。
【００３３】
以上の実施例を含む実施形態に関し、更に以下の付記を開示する。
（付記１）
ヘッドを位置決めするための情報を格納すると共に、磁性パターンと非磁性パターンの組み合わせで形成されたサーボ領域と、
磁性パターンと非磁性パターンの組み合わせで形成され、該磁性パターンを媒体表面に対して垂直方向に磁化することでデータが記録されるデータ領域を備え、
前記サーボ領域は、トラックと垂直な方向上所定幅の領域毎に分断され、隣り合う前記所定幅の領域間では前記垂直方向の磁化方向が互いに逆方向に着磁されている、磁気記録媒体。
（付記２）
前記トラックと垂直な方向上の前記所定幅は、トラッキングサーボをオンとして前記ヘッドが前記トラックを追従するまでの間に前記サーボ領域の極性が変わらない値に設定されている、付記１記載の磁気記録媒体。
（付記３）
前記磁気記録媒体はディスク形状を有する磁気ディスクであり、
前記トラックと垂直な方向は前記磁気ディスクの半径方向であり、
前記所定幅の領域は、前記半径方向上に配置された複数のリング状のゾーンである、付記１又は２記載の磁気記録媒体。
（付記４）
各ゾーンの前記半径方向上の幅は、前記磁気ディスクの偏心量以上の値に設定されている、付記３記載の磁気記録媒体。
（付記５）
前記データ領域の磁性パターンは、複数の磁性ドットで形成された磁性ドット列が同心円状に予めパターンとして形成されており、
前記磁気ディスクは、単磁区からなるパターンが形成され、パターン１つに１ビットが書き込まれるビットパターンド媒体である、付記３又は４記載の磁気記録媒体。
（付記６）
隣接するゾーンの前記半径方向上の分割幅は、前記データ領域の磁性ドットの間隔と同じである、付記５記載の磁気記録媒体。
（付記７）
ヘッドと、
前記ヘッドを位置決めするための情報を格納すると共に磁性パターンと非磁性パターンの組み合わせで形成されたサーボ領域と、磁性パターンと非磁性パターンの組み合わせで形成され該磁性パターンを媒体表面に対して垂直方向に磁化することでデータが記録されるデータ領域を有し、前記サーボ領域はトラックと垂直な方向上所定幅の領域毎に分断され、隣り合う前記所定幅の領域間では前記垂直方向の磁化方向が互いに逆方向に着磁されている磁気記録媒体と、
前記ヘッドが前記磁気記録媒体から再生した再生信号波形の極性を反転してから出力する極性反転部と、
前記ヘッドが前記磁気記録媒体から再生した前記再生信号波形と、前記極性反転部が出力する再生信号波形の一方を極性選択信号に基づいて選択出力する切替部と、
前記切替部が出力する信号波形から前記サーボ領域内のアドレス部を復調する復調部と、
前記復調部が前記アドレス部を復調できないと前記極性選択信号を出力して前記切替部の出力を切り替えるコントローラを備えた、磁気記憶装置。
（付記８）
前記切替部が出力する信号波形から前記サーボ領域内のプリアンブル部に基づいて同期クロックを生成する同期クロック生成部を更に備え、
前記復調部は、前記同期クロックに基づいて前記アドレス部を復調する、付記７記載の磁気記憶装置。
（付記９）
前記アドレス部は、前記サーボ領域のサーボパターンが検出されてトラック番号及びセクタ番号が続くことを示すシンクマークを含み、
前記復調部は、前記シンクマークが検出されたか否かを示すシンクマーク検出信号を生成すると共に、シンクマークが検出されるとこのシンクマークに続くトラック番号及びセクタ番号を復調する、付記８記載の磁気記憶装置。
（付記１０）
前記コントローラは、前記シンクマーク検出信号がシンクマークが検出されなかったことを示すと前記極性選択信号を出力して前記切替部の出力を切り替える、付記９記載の磁気記憶装置。
（付記１１）
前記トラックと垂直な方向上の前記所定幅は、トラッキングサーボをオンとして前記ヘッドが前記トラックを追従するまでの間に前記サーボ領域の極性が変わらない値に設定されている、付記７〜１０のいずれか１項記載の磁気記憶装置。
（付記１２）
前記磁気記録媒体はディスク形状を有する磁気ディスクであり、
前記トラックと垂直な方向は前記磁気ディスクの半径方向であり、
前記所定幅の領域は、前記半径方向上に配置された複数のリング状のゾーンである、付記１１記載の磁気記憶装置。
（付記１３）
各ゾーンの前記半径方向上の幅は、前記磁気ディスクの偏心量以上の値に設定されている、付記１２記載の磁気記憶装置。
（付記１４）
前記データ領域の磁性パターンは、複数の磁性ドットで形成された磁性ドット列が同心円状に予めパターンとして形成されており、
前記磁気ディスクは、単磁区からなるパターンが形成され、パターン１つに１ビットが書き込まれるビットパターンド媒体である、付記１２又は１３記載の磁気記憶装置。
（付記１５）
隣接するゾーンの前記半径方向上の分割幅は、前記データ領域の磁性ドットの間隔と同じである、付記１４記載の磁気記憶装置。
【００３４】
以上、本発明を実施例により説明したが、本発明は上記実施例に限定されるものではなく、本発明の範囲内で種々の変形及び改良が可能であることは言うまでもない。
【図面の簡単な説明】
【００３５】
【図１】従来のパターンド媒体の一例を説明する図である。
【図２】従来のパターンド媒体の問題を説明する図である。
【図３】磁気記録媒体の断面の一部を拡大して示す図である。
【図４】本発明の一実施例における磁気記録媒体を説明する図である。
【図５】磁性ドットの間隔を示す図である。
【図６】磁気ディスクの偏心とゾーン幅の関係を説明する図である。
【図７】サーボ領域の初期化着磁方法の一例を説明する図である。
【図８】本発明の一実施例における磁気記憶装置の一部を示すブロック図である。
【図９】磁気記憶装置のサーボパターン再生動作を説明するフローチャートである。
【図１０】磁気記憶装置の一部を示す断面図である。
【図１１】磁気記憶装置の一部を示す平面図である。
【符号の説明】
【００３６】
２      記録再生ヘッド
２１      磁気ディスク
３１      データ領域
３３      サーボ領域
８２      切替部
８３      極性反転部
８４      同期クロック生成部
８５      復調部
８６      コントローラ
【図１】
2010097640.tif 000003
【図２】
2010097640.tif 000004
【図３】
2010097640.tif 000005
【図４】
2010097640.tif 000006
【図７】
2010097640.tif 000007
【図８】
2010097640.tif 000008
【図９】
2010097640.tif 000009
【図１０】
2010097640.tif 000010
【図１１】
2010097640.tif 000011
【図５】
2010097640.tif 000012
【図６】
2010097640.tif 000013